(57)【要約】  従来の内視鏡に装着して腸の内壁を固定および短縮させながら内視鏡を腸内で容易に移動できるようにして、既存の内視鏡機械だけでは観察が困難であるか不可能な部位の観察および施術を施行できるようにする内視鏡検査時に腸を固定、短縮させる機構およびその方法が開示される。  前記機構および方法は、従来の内視鏡施術に比べて腸の短縮効率が高く、検査時間を減らすことができ、患者の不快感を軽減させる効果を期待することができる。また、施術者が使用していた内視鏡機械をそのまま使用できるので施術者が容易に施術することができ、機械を別途に購入しなくても済むので費用削減の効果が発生する。  また、前記機構および使用方法の原理を応用して、ループができて難しい大腸内視鏡検査や手術によって解剖学的構造が変形された患者の逆行性膵胆も検査および治療することができる追加の効果も期待することができる。【選択図】  図１
2016524996.tif 000002
【特許請求の範囲】
【請求項１】
内視鏡が内部に貫通できるように内部が空いた円筒形に形成される外枠；前記外枠の外面を取り囲むように設置される環状の外側カフ；前記外枠の内側面に付着設置される内側カフ；前記外枠の内側面に位置する潤滑チューブ；および吸入チューブから構成され、
前記各外側カフと内側カフとを気体の流出または流入に応じてそれぞれ収縮または膨張できるようにするために、前記外側カフの一方側に外側カフチューブが設置され、前記内側カフの一方側に内側カフチューブが設置されることを特徴とする、内視鏡検査時に腸を固定および短縮させる腸固定装置。
【請求項２】
環状の外枠と内視鏡との間に内側カフが位置し、前記内側カフが膨張しながら内視鏡と外枠を固定させることができることを特徴とする、請求項１に記載の内視鏡検査時に腸を固定および短縮させる腸固定装置。
【請求項３】
前記外側カフに連結された外側カフチューブを通じて外部の施術者が気体を注入または抜き出すことができるようにし、前記内側カフに連結された内側カフチューブを通じて外部の施術者が気体を注入または抜き出すことができることを特徴とする、請求項１に記載の内視鏡検査時に腸を固定および短縮させる腸固定装置。
【請求項４】
前記潤滑チューブを通じて内視鏡に生理食塩水を投入できることを特徴とする、請求項１に記載の内視鏡検査時に腸を固定および短縮させる腸固定装置。
【請求項５】
前記吸入チューブを通じて腸に存在する空気または液体を除去できることを特徴とする、請求項１に記載の内視鏡検査時に腸を固定および短縮させる腸固定装置。
【請求項６】
外部に露出される前記内、外側カフチューブおよび潤滑チューブ、吸入チューブを利用して固定された前記腸固定装置を引っ張って腸を短縮させることを特徴とする、請求項１に記載の内視鏡検査時に腸を固定および短縮させる腸固定装置。
【請求項７】
前記腸固定装置は一つの内視鏡に少なくとも一つが適用され得ることを特徴とする、請求項１に記載の内視鏡検査時に腸を固定および短縮させる腸固定装置。
【請求項８】
患者の身体の内部に内視鏡を挿入して検査する方法において、
内視鏡の外側に少なくとも一つの装置を設置し、前記装置を利用して内視鏡が挿入された身体器官の特定部分に装置を固定させ、施術者が内視鏡と前記装置とを分離させた後、前記装置を引っ張って前記装置に固定されている身体器官の長さを短縮させることを特徴とする、内視鏡検査時に腸を固定および短縮させる方法。
【請求項９】
請求項１に記載された内視鏡検査時に腸を固定および短縮させる腸固定装置を前記内視鏡の外側に設置して腸の内部を観察したり治療することを特徴とする、内視鏡検査時に腸を固定および短縮させる方法。
【請求項１０】
前記外側カフが膨張されながら腸に固定位置を形成できることを特徴とする、請求項１に記載の内視鏡検査時に腸を固定および短縮させる腸固定装置。
【請求項１１】
前記内側カフの気体が流出するにつれて前記内視鏡と前記腸固定装置とが分離されることを特徴とする、請求項１に記載の内視鏡検査時に腸を固定および短縮させる腸固定装置。
【発明の詳細な説明】
【技術分野】
【０００１】
本発明は、内視鏡に係り、より詳細には従来の内視鏡に装着して、腸の内壁を固定および短縮させ、内視鏡を腸内で容易に移動できるようにして、既存の内視鏡機械だけでは観察が困難であるか不可能な部位を観察することができ、治療的な施術を可能にする内視鏡検査時に腸を固定、短縮させる装置およびその方法に関する。
【背景技術】
【０００２】
内視鏡とは、人体内の内臓臓器や体腔内部を直接観察できる医療器具を意味し、また、内視鏡を利用して患者の観察や治療的な施術を含む過程全体を意味することもある。以下の記載では、「内視鏡」または「内視鏡施術」とは、内視鏡を利用して患者内部の臓器を観察したり治療する施術を意味する単語と定義して使用し、「内視鏡機械」または「内視鏡装置」とは、の内視鏡施術に使用する医療器具としての内視鏡と定義して使用することにする。
【０００３】
内視鏡施術を通じて人体内の内臓臓器や体腔内部を観察する上で最も困難が伴われる部位は、小さい腸とも呼ばれる小腸である。その理由として、小腸は内視鏡施術が主になされる胃や大腸などとは違って、体の特定部位に固定されておらず、長さが長く、蠕動運動をするからである。したがって、小腸は他の臓器と比べて検査が容易でなく、既存の内視鏡装置はこのような問題点の解決に限界があった。
【０００４】
このような問題があるため、小腸内部の観察および診断のためには、一般的にカプセル内視鏡を利用する。
【０００５】
カプセル内視鏡は、レンズおよび発光素子、映像記録装置、バッテリ、無線送信装置およびアンテナなどから構成される、ビタミン錠剤の大きさ程度の内視鏡装置であり、使用者はこのカプセル内視鏡を口腔を通じて投入する。カプセル内視鏡は口腔から直腸まで移動しながら小腸の映像を撮影し、これを無線通信を通じて外部の記録装置に保存する。
【０００６】
しかしながら、カプセル内視鏡は遠隔調整が不可能で、カプセル内視鏡自体の動きにより撮影方向および角度が決定されるため小腸の観察に制限があり、繰り返し検査が不可能である。また、そのサイズを最小化させる必要があるので付加的な装置の設置に困難があり、組織検査などができない短所がある。
【０００７】
このようなカプセル内視鏡の短所を克服し、小腸疾患が疑われる、または確認された場合、該当部位に対する治療や組織検査を遂行するために、ダブルバルーン内視鏡が開発された。２００４年以降、FDAおよび韓国国内の食品医薬品安全庁の許可が下りて実施されているこのダブルバルーン内視鏡は、狭くて屈曲した小腸に沿って進入しながら内視鏡とオーバーチューブの先端にそれぞれ装着されているバルーンとオーバーチューブを操作しながら内視鏡検査を遂行する。一般に、約６ｍ程度の長さの小腸全体に一度に入り切ることはできないため、口と肛門のいずれに近い病変であるかを判断して、一方から進行するか、２回に分けて両方から進行する。
【０００８】
このダブルバルーン内視鏡は現在まで開発された内視鏡のうち、内視鏡装置を人体内の最も深い部位まで挿入できる装置であって、小腸疾患に対する治療や組織検査を効果的に遂行することができる。しかしながら、ダブルバルーン内視鏡は、施術のために高価の内視鏡装置を新しく具備しなければならず、従来の内視鏡施術に比べて施術時間が長く、施術の難易度が高いため施術者の高い熟練度を必要とする。また、患者の痛みおよび不快感が大きく、コスト的にも負担の大きい施術であるため、広く利用されてはいない。
【０００９】
小腸は胃から、十二指腸、空腸および回腸の三部分に区分され、十二指腸は後腹壁に堅固に固定されるが、小腸の大部分を占める空腸と回腸は腹腔の中に固定されておらず、長く広がっている。このような小腸の構造のためにダブルバルーン内視鏡装置を利用しても小腸に対する内視鏡施術を効率的に遂行することはできない。内視鏡施術を施行するために、基本的に内視鏡本体と連結されたライン状の内視鏡スコープを人体の内部に押し入れて挿入しなければならない。内視鏡スコープが小腸に挿入されるにつれて固定されていない小腸が押し伸ばされることにより、患者の不快感および痛みが大きくなる問題が発生する。
【００１０】
ダブルバルーン内視鏡施術のさらに他の問題点は、新しい内視鏡装置を利用しながらも補助のオーバーチューブを追加で使用しなければならないという点である。内視鏡が小腸に沿って進行した後にはオーバーチューブを押し入れることになるが、オーバーチューブを使用することだけでは小腸が押し伸ばされる問題を克服するのには限界がある。また、オーバーチューブの長さは固定不変でありながら、内視鏡装置がこの中に入った状態で使用することになり、既存の内視鏡に比べて使い勝手が悪い。
【００１１】
上述した通り、ダブルバルーン内視鏡は小腸を効果的に短縮させることができず、検査時間が長引いたり、患者の痛みが大きくなる問題が発生する。
【００１２】
したがって、既に存在する施術機構および方法以外に小腸を観察できる内視鏡装置または、効果的な小腸内視鏡観察方法が求められているのが実状である。
【００１３】
小腸観察用の内視鏡として、小腸などの人体内の狭い空間を観察するために発明された内視鏡が［特許文献１］に開示されている。この登録特許は一方側にカメラ装置が装着されたヘッド部と、他方側に人体外部の外部装置と連結されるチューブと連結される中空型のシリンダ部、ヘッド部と連結されてシリンダ部の外周に設置され、臓器の内壁に固定可能な前方固定部と、シリンダ部の外周面にスライディングできるようにシリンダ部の外周に設置され、臓器の内壁に固定するようにする後方固定部と、前方固定部または後方固定部がヘッド部が臓器の内壁に固定させる時に前方固定部と後方固定部の間で伸長および収縮作動してヘッド部を臓器の内部で移動させる移動部を含む本体から形成される内視鏡システムに関するものである。
【００１４】
この登録特許は、理論的には小腸の観察が可能であるが、従来の内視鏡とは違って機械式で複雑に作動する内視鏡であって、既存の内視鏡施術に熟練している使用者といえども使いこなすことが難く、誤作動の危険があって実使用が困難であり、特殊内視鏡装置を別途に購入しなければならない短所があるため非経済的である。
【００１５】
また、この登録特許は従来の内視鏡装置とは基本原理および作動方法が異なり、互換が不可能で、通常の内視鏡施術で実施する組織検査、ポリープの除去および止血治療などの施術の施行が困難であり、追加の道具が必要であるため臨床での実効性が制限的であるという短所が存在する。
【先行技術文献】
【特許文献】
【００１６】
【特許文献１】韓国登録特許第１０-０４７１６５３号公報
【発明の概要】
【発明が解決しようとする課題】
【００１７】
本発明は前記のような従来技術の問題点を解決するためのもので、既存の内視鏡装置に装着して施術者の操作により腸内で本装置を固定し、腸の短縮を可能にする、内視鏡検査時に腸を固定、短縮させる装置およびその方法を提供することにその目的がある。
【課題を解決するための手段】
【００１８】
本発明は前記のような目的を達成するために、内視鏡が内部に貫通できるように内部が空いた円筒形に形成される外枠；前記外枠の外面を取り囲むように設置される環状の外側カフ；前記外枠の内側面に付着設置される内側カフ；前記外枠の内側面に位置する潤滑チューブ；および吸入チューブから構成され、前記各外側カフと内側カフとを気体の流出または、流入によりそれぞれ収縮または膨張できるようにするために、前記外側カフの一方側に外側カフチューブが設置され、前記内側カフの一方側に内側カフチューブが設置される腸の長さを固定および短縮できる腸固定装置を提供する。
【００１９】
前記において、環状の外枠と内視鏡との間に内側カフが位置し、前記内側カフが膨張されながら内視鏡と外枠を固定させることができる。
潤滑チューブと吸入チューブは、前記内側カフの側面に付着設置され得る。
【００２０】
前記において、前記外側カフに連結された外側カフチューブを通じて外部の施術者が気体を注入または抜き出すことができるようにし、前記内側カフに連結された内側カフチューブを通じて外部の施術者が気体を注入または抜き出すことができるようにし、潤滑チューブを通じて施術者が外側カフと内側カフ、内視鏡に生理食塩水材質の潤滑剤を投入させることができるようにして、吸入チューブを通じて腸内の空気または、液体を除去するようにする。
【００２１】
前記外側カフが膨張されながら腸に固定位置を形成することができ、前記内側カフの気体が流出するにつれて前記内視鏡と前記腸固定装置が分離され得る。
【００２２】
前記において、腸固定装置は一つの内視鏡に少なくとも一つ設置され得る。
【００２３】
患者の身体内部に内視鏡を挿入して検査する方法において、内視鏡の外側に少なくとも一つの機構を設置し、前記装置を利用して内視鏡が挿入された身体機関の特定部分に装置を固定させ、施術者が装置と内視鏡とを分離させた後、前記装置を引っ張り内視鏡に固定されている身体器官の長さを短縮させて装置なしで観察が難しい身体内部の深い部位を観察または、施術できる方法を提供する。
【００２４】
前記した内視鏡外側に設置する装置として、前述した腸固定装置を使用する。
【発明の効果】
【００２５】
本発明によれば、小腸に本発明の装置を設置した内視鏡を位置させた後、装置を利用して小腸と装置を固定させ、その後、固定された小腸の後部分を引っ張り小腸が折りたたまれるようにすることによって腸の長さを短縮させて検査を進める。したがって、従来の内視鏡施術に比べ、腸の短縮効率が高く、検査時間を減らすことができ、患者の不快感を軽減させる効果を期待することができる。また、施術者が使用していた内視鏡機械をそのまま使用できるので施術者が容易に施術することができ、機械を別途に購入しなくても済むので費用削減の効果が発生する。
【００２６】
本発明の機構および使用方法の原理を応用すれば、ループができて難しい大腸内視鏡検査や手術によって解剖学的構造が変形された患者の逆行性膵胆も検査および治療することができる追加の効果も期待することができる。
【図面の簡単な説明】
【００２７】
【図１】本発明の一実施例に係る腸固定装置の斜視図。
【図２】本発明の一実施例に係る腸固定装置の断面図。
【図３】本発明の一実施例に係る腸固定装置を利用して小腸内で内視鏡を挿入する過程を図示した構造図。
【図４】本発明の他の実施例に係る腸固定装置を二つ利用して小腸内で内視鏡を挿入する過程を図示した構造図。
【図５】本発明の一実施例に係る腸固定装置の動作を示すフローチャート。
【図６】本発明の他の実施例に係る腸固定装置の動作を示すフローチャート。
【発明を実施するための形態】
【００２８】
以下、添付された図面を参照して本発明をより詳細に説明する。下記の説明は本発明の実施と理解を助けるためのものであって、本発明はこれに限定されない。当業者は、以下の特許請求の範囲に記載された本発明の思想内で様々に変形および変更でき得ることを理解できるであろう。
【００２９】
図１は本発明の一実施例に係る腸固定装置の斜視図であり、図２は本発明の一実施例に係る腸固定装置の断面図である。
【００３０】
図１および図２を参照して本発明の腸固定装置１０００の構成および設置形態に対して説明する。腸固定装置１０００は、内視鏡Ｅが通過できるように内部が空いている短い円筒形の外枠１００と、この外枠１００の外部を取り囲むように付着設置される外側カフ１１０と外側カフ１１０の一方側に設置される外側カフチューブ１１１、外枠１００と内視鏡Ｅとの間に挟まれて位置するように外枠１００の内側に付着して設置される内側カフ１２０と内側カフ１２０の一方側に設置される内側カフチューブ１２１、そして外枠１００の内側に設置される潤滑チューブ１３０および吸入チューブ１４０から構成される。
【００３１】
ここで外側カフ１１０は、図１および図２に図示された通り、外枠１００を取り囲む形態の環状チューブの形態で形成され、内側カフ１２０は図１に図示された通り、外枠１００の内部に付着設置されて外枠１００と内視鏡Ｅとの間に挟まれて位置し、その形態は円筒形または、楕円形のチューブ形態で形成され得るが、これに限定されない。
【００３２】
また、外側カフ１１０および内側カフ１２０は内部に気体を投入して膨張または収縮ができるようにビニルまたは、ゴム、プラスチックのような材質で形成されうるが、これに限定されない。
【００３３】
そして潤滑チューブ１３０と吸入チューブ１４０とは、図１および図２に図示された通り、外枠１００の内側に付着して設置するか、内側カフ１２０の側面に付着して設置するようにする。
【００３４】
ここでチューブ１１１、１２１、１３０、１４０は、細いが内径を維持した状態で曲がる柔軟な細い管の形態からなり、耐久性を有するプラスチック材質で形成され得るが、これに限定されない。
【００３５】
このように形成される腸固定装置１０００は、図１に図示された通り、内視鏡Ｅの側面を取り囲む形態で設置される。したがって、腸固定装置１０００は次のような機能を有するようになる。まず、外側カフ１１０は収縮または膨張して、小腸内部に挿入されている腸固定装置１０００を小腸のある特定の位置で固定させることができるようにする役割をし、内側カフ１２０は前記外枠１００と内視鏡Ｅとの間で収縮または膨張して外枠１００および外側カフ１１０を内視鏡Ｅから付着または取り外す役割をする。
【００３６】
このような外側カフ１１０の収縮または膨張を実施するために、外側カフ１１０の側面に設置されている外側カフチューブ１１１は、一端が外側カフ１１０に気体が投入できるように設置されており、他端は外部の施術者が外側カフチューブ１１１を通じて外側カフ１１０に気体を投入できるように開放露出されている。このような構成によって施術者が外側カフチューブ１１１の他端を通じて外側カフ１１０に気体を投入、または排出するようにして外側カフ１１０が膨張または収縮することができるようにする。
【００３７】
同様に、内側カフ１２０の収縮または膨張を実施するために、内側カフ１２０の側面に設置されている内側カフチューブ１２１は一端が内側カフ１２０に空気が投入できるように設置され、他端は外部の施術者が内側カフチューブ１２１を通じて内側カフ１２０に気体を投入できるように開放露出される。このような構成によって施術者が内側カフチューブ１２１の他端を通じて内側カフ１２０に気体を投入、または排出するようにして内側カフ１２０が膨張または収縮することができるようにする。
【００３８】
そして、前記内側カフ１２０の側面に付着設置される潤滑チューブ１３０は、一端が外枠１００の内側または内側カフ１２０の側面に開放された状態で付着設置されるようにし、他端は外部の施術者に開放露出されるようにする。これによって、内視鏡Ｅが腸固定装置１０００の内部で移動する時、生理食塩水から構成される潤滑剤を施術者が開放露出された潤滑チューブ１３０の他端を通じて患者の人体内部に挿入されている内視鏡Ｅおよび外枠１００、外側および内側カフ１１０、１２０の間に投入できるようにして、内視鏡Ｅと外枠１００および内側カフ１２０との摩擦を最小化することができる。
【００３９】
同様に、外枠１００の内側または内側カフ１２０の側面に付着設置される吸入チューブ１４０は、一端が内側カフ１２０の側面に開放された状態で付着設置されるようにし、他端が外部の施術者に開放露出されるようにする。これによって、小腸内に内視鏡Ｅが挿入されている状態で、内視鏡検査の途中に注入される空気が多すぎたり腸内に液体があるなどの場合、外部の施術者が開放露出されている吸入チューブ１４０の他端を通じて患者の小腸内のガスと液体などを吸入して除去することができるようにする。
【００４０】
前記構成および動作を図２を参照してより具体的に説明する。図２の(a)のように構成される本発明の腸固定装置１０００は、図２の(b)のように、内視鏡Ｅが外枠１００の内部に挿入されるように設置されるが、腸固定装置１０００の設置のために、図２の(b)のように内視鏡Ｅが腸固定装置１０００に挿入されている状態で、図２の(c)のように外枠１００に付着設置されている内側カフ１２０を膨らませ、内側カフ１２０の膨張力により内視鏡Eが外枠１００と内側カフ１２０との間に固定されるようにし、腸固定装置１０００を内視鏡Ｅに固定できるようにする。
【００４１】
この時、注意すべき事項としては、潤滑チューブ１３０および吸入チューブ１４０が内視鏡Ｅおよび内側カフ１２０と外枠１００の間に挟まれて押し拉がれる場合、潤滑チューブ１３０および吸入チューブ１４０は本来の役割を遂行することができない。このように押し拉がれることを防止するために、使用者は潤滑チューブ１３０および吸入チューブ１４０の設置時に内側カフ１２０の両側面に一定間隔を置いて前記潤滑チューブ１３０および吸入チューブ１４０を設置することができる。これは後述する、チューブ１１１、１２１、１３０、１４０を利用して小腸を引っ張って短縮する過程において、潤滑チューブ、吸入チューブ１３０、１４０が一方側に偏ることによってチューブの引っ張り力が一方側に偏り、引っ張られる外枠１００が内視鏡Ｅにかかる状況を防止し、潤滑チューブ１３０を通じて投入する生理食塩水のような潤滑剤を吸入チューブ１４０を通じて再び吸い込む場合を最小化するためである。
【００４２】
図２の(c)のように、内側カフ１２０が膨張して内視鏡Ｅに外枠１００を固定させた状態で内視鏡Ｅが小腸内部に投入され、外側カフ１１０はまだ収縮されている状態であるので小腸内から自由に移動が可能である。前記のように小腸内に内視鏡Ｅおよび腸固定装置１０００が位置した状態で、図２の(d)のように前記外側カフ１１０を膨張させることによって小腸の特定位置に腸固定装置１０００を固定させることができるようにする。
【００４３】
図３は本発明の一実施例に係る腸固定装置１０００を利用して小腸Ｇ内で内視鏡Ｅを挿入する過程を図示した構造図であり、図５は本発明の一実施例に係る腸固定装置１０００の動作を示すフローチャートである。以下では本発明の腸固定装置１０００および内視鏡Ｅが小腸Ｇ内で動作する過程を図３および図５を参照して説明する。
【００４４】
図３の(a)は、患者の小腸Ｇに本発明の腸固定装置１０００が内視鏡Ｅの内視鏡端部Ｅｈに固定されたまま挿入されて行く様子を図示した構造図である。腸固定装置１０００は内視鏡Ｅの内視鏡端部Ｅｈに固定されることを以下の例示にて説明するが、腸固定装置１０００は施術者の便宜を図るため内視鏡本体Ｅｂに固定されて使用されることもある。
【００４５】
図３の(a)に図示された通り、内視鏡検査を実施する前に、腸固定装置１０００は内視鏡Ｅの内視鏡端部Ｅｈに固定されたまま挿入される。この時、腸固定装置１０００が内視鏡Ｅの内視鏡端部Ｅｈに固定されて容易に小腸Ｇ内に挿入されるように、腸固定装置１０００の外側カフ１１０は収縮した状態で挿入され、内側カフ１２０は膨張した状態で挿入されて、外側カフ１１０が内視鏡Ｅの内視鏡端部Ｅｈに固定されて挿入できるようにする。
【００４６】
前記のように内視鏡Ｅに腸固定装置１０００が固定されたまま患者の小腸Ｇに挿入された状態が図３の(b)に図示されている。図３の(b)のように内視鏡Ｅが小腸Ｇ内に挿入された状態で、小腸Ｇの深い部位に内視鏡Ｅを到達させるために、小腸Ｇの特定地点で腸固定装置１０００を利用して小腸Ｇに腸固定装置１０００を固定させる。これを達成するために、図３の(c)に図示された通り、装置の外側カフ１１０に気体を注入して膨張させることにより、小腸Ｇの固定位置Ｇ-Ｈに膨張した外側カフ１１０が密着して固定されることによって、内視鏡Ｅおよび腸固定装置１０００、そして小腸Ｇが小腸Ｇの固定位置Ｇ-Ｈにともに固定されている状態となる。
【００４７】
この時、外側カフ１１０に気体を注入するために、施術者は前記外側カフ１１０の側面に開放するように連結されている外側カフチューブ１１１を利用して、外部から施術者が外側カフ１１０内に気体を注入することができるようにする。
【００４８】
前記のように内視鏡Ｅおよび腸固定装置１０００が図３の(c)のように患者の小腸Ｇの固定位置Ｇ-Ｈに固定された状態で、小腸Ｇの後部分を短縮させるために内視鏡Ｅと腸固定装置１０００を分離する。これを図３の(d)と(e)を通じて説明すると、まず、使用者は腸固定装置１０００の膨張されている内側カフチューブ１２０の空気を抜き出して縮小させることによって腸固定装置１０００を内視鏡Ｅから分離させる。
【００４９】
次の段階として、腸固定装置１０００の潤滑チューブ１３０を通じて生理食塩水を注入させることになるが、これは腸固定装置１０００と内視鏡Ｅとの間の摩擦を減らして、両装置１０００、Ｅ間の損傷を防止するためである。
【００５０】
前記のように潤滑チューブ１３０を通じて生理食塩水を両装置１０００、Ｅ間に注入した状態で、腸固定装置１０００の４つのチューブ１１１、１２１、１３０、１４０を徐々に引っ張ると、小腸Ｇの固定位置Ｇ-Ｈが引っ張られることになり、前記固定位置Ｇ-Ｈの後部分はしわができながら短縮部Ｇ-Ｂを形成するようになる。この場合、内視鏡Ｅは腸固定装置１０００と分離されているので実際には停止しているが、小腸Ｇの前方の部分が前述した腸固定装置１０００の短縮部Ｇ-Ｂの形成過程を通じて引っ張られるようになり、内視鏡Ｅの内視鏡端部Ｅｈは図３の(e)のように小腸Ｇの前方の部分に前進することになる効果が得られる。
【００５１】
この時、内視鏡Ｅと腸固定装置１００が分離されて動く間、腸固定装置１０００と連結されている内側、外側カフチューブ１１１、１２１および潤滑チューブ１３０、吸入チューブ１４０を同一の力で引っ張って力を加えることによって、小腸Ｇの後部分Ｇ-Ｂが縮小された状態に維持できるようにする。
【００５２】
また、チューブ１１１、１２１、１３０、１４０は腸固定装置１０００に加えられる引っ張り力を考慮して配置しなければならない。腸固定装置１０００にチューブ１１１、１２１、１３０、１４０が一側に偏って設置される場合、前述した短縮部Ｇ-Ｂの形成過程において、腸固定装置１０００の外枠１００に加えられる力の方向がチューブが位置する方向に偏り、内視鏡Ｅと腸固定装置１０００がかかる危険が発生するので、使用者はチューブ１１１、１２１、１３０、１４０の位置を考慮してできるだけ分散して設置できるようにする。
【００５３】
内側カフ１２０の側面に設置されている吸入チューブ１４０は、内視鏡検査を実施する際に発生する空気の注入などによって膨張された腸内の空気または小腸Ｇ内の液体などを吸入して効率的な腸の短縮と固定に役立つようにする。図１で説明した通り、吸入チューブ１４０は一端が腸固定装置１０００の内側に開放された状態で付着固定され、他端は外部に露出されるようにして、施術者が吸入チューブ１４０の他端を通じて陰圧を加えることによって腸内のガスおよび液体を吸入して小腸の膨張を抑制し、小腸の内視鏡検査および治療を円滑にできるようにする。
【００５４】
内視鏡Ｅを外部に取り出す時は、外側カフ１１０を収縮させ、内側カフ１２０を拡張させて内視鏡Ｅと腸固定装置１０００を固定させながら小腸Ｇと腸固定装置１０００を分離させて滑らかに内視鏡Eと各チューブを同時に後方に後退させて取り出す。
【００５５】
これまで図１〜図３および図５を参照して本発明の一実施例に係る腸固定装置１０００を説明した。しかしながら、これは本発明の理解と説明の便宜を図るための一実施例に過ぎず、本発明はこれに限定されない。例えば、図４は本発明の腸固定装置１０００、１０００’を二つ利用して小腸Ｇ内で内視鏡Ｅを挿入して腸を観察したり治療する過程を図示した構造図であり、図６は二つ以上の腸固定装置１０００、１０００’を利用して小腸Ｇ内で内視鏡Ｅを動作させるためのフローチャートである。また、本発明の腸固定装置を三つ以上利用して小腸内で内視鏡Ｅを挿入して腸を観察したり治療することももちろん可能である。
【００５６】
以下では、図４および図６を通じて二つの腸固定装置１０００、１０００’を使用して小腸Ｇに内視鏡Ｅを挿入するのを本発明の他の実施例として説明する。
【００５７】
内視鏡Ｅの側面に二つの腸固定装置１０００、１０００’を任意の間隔を置いて設置するが、二つの腸固定装置１０００、１０００’が内視鏡Ｅに固定される方法および小腸内で動作する方法は図２に図示された方式と同一に動作し、腸固定装置１０００、１０００’の構成は図１に図示されたものと同一に構成される。以下、本発明の他の実施例においては、第１内視鏡固定装置１０００に吸入チューブ１４０が設置されて動作することを一例示として説明する。
【００５８】
図４の(a)に図示された通り、内視鏡Ｅに第１内視鏡固定装置１０００と第２内視鏡固定装置１０００’が固定されたまま小腸Ｇの内部に挿入される。
【００５９】
小腸Ｇの内部に内視鏡Ｅが図４の(a)に図示されたように挿入された状態で、施術者は第２内視鏡固定装置１０００’を動作させて小腸Ｇ内の特定位置に第１固定位置Ｇ-Ｈ１を形成させて内視鏡Ｅおよび第２内視鏡固定装置１０００’を小腸Ｇに固定させる。
【００６０】
前記のように小腸Ｇ内の第２内視鏡固定装置１０００’を動作させて小腸Ｇ内の第１固定位置Ｇ-Ｈ１を形成した状態で、施術者は第２内視鏡固定装置１０００’と内視鏡とを分離する。以後、前記第２内視鏡固定装置１０００’と固定された小腸Ｇを前記第２内視鏡固定装置１０００’に設置されたチューブを利用して、上述した通り、滑らかに引っ張りながら小腸Ｇの第１固定位置Ｇ-Ｈ１の後側の腸を短縮させて第１短縮部Ｇ-Ｂ１を形成させる。前記のように、小腸Ｇに第１短縮部Ｇ-Ｂ１が形成されて短縮された分だけ前記内視鏡Ｅの内視鏡端部Ｅｈは相対的に小腸Ｇの前方に前進する効果が発生する。
【００６１】
施術者が図４の(c)に図示された通り、小腸Ｇ内の第１短縮部Ｇ-Ｂ１を形成し、短縮された長さ分だけ内視鏡Ｅおよび第１内視鏡固定装置１０００が小腸Ｇの内部に前進された状態で、施術者は図４の(d)に図示された通り、第１内視鏡固定装置１０００を図２で説明した順序にしたがって動作させて小腸Ｇ内に第２固定位置Ｇ-Ｈ２を形成させる。
【００６２】
前記のように施術者が第１内視鏡固定装置１０００を動作させて小腸Ｇ内に第２固定位置Ｇ-Ｈ２が形成された状態で、施術者は図４の(e)に図示された通り、第１内視鏡固定装置１０００に設置されているチューブを滑らかに引っ張って小腸Ｇの第１固定位置Ｇ-Ｈ１と第２固定位置Ｇ-Ｈ２との間を縮小させて第２短縮部Ｇ-Ｂ２を形成し、前記小腸Ｇの第２短縮部Ｇ-Ｂ２を通じて短縮された長さ分だけ内視鏡Ｅの内視鏡端部Ｅｈが小腸内部に前進して施術者が所望する施術を内視鏡Ｅの内視鏡端部Ｅｈを通じて完了することができるようにする。
【００６３】
図４および図６の内視鏡Ｅ内の腸固定装置１０００、１０００’の動作および順序は二つの腸固定装置１０００、１０００’を使用した本発明の他の実施例であって、内視鏡Ｅ内の三つ以上の腸固定装置を使用する時にも同じ方式で動作して小腸を短縮および内視鏡の容易な小腸内前進動作を達成できるようにする。
【図１】
2016524996.tif 000003
【図２】
2016524996.tif 000004
【図３】
2016524996.tif 000005
【図４】
2016524996.tif 000006
【図５】
2016524996.tif 000007
【図６】
2016524996.tif 000008
【国際調査報告】
2016524996.tif 000009
2016524996.tif 000010
2016524996.tif 000011
2016524996.tif 000012
2016524996.tif 000013
2016524996.tif 000014